(57)【要約】【課題】指向角や遮蔽物体に影響されずにリモコン信号をディスク装置へ送信できるようにする。【解決手段】リモコン２００に、ボタン操作部２２の各ボタンに対応して可聴周波数帯域外の擬似音を発生するスピーカ２８を設け、ＤＶＤレコーダ１００に、スピーカ２８から発生する擬似音を集音するマイク１４を設ける。制御部１１は、マイク１４で集音した音の周波数がメモリ１３に記憶されている擬似音の周波数と一致した場合、集音した音が一定時間以上継続しなければ、その音はリモコン２００からの信号であると判断して、操作されたボタンに対応する動作を行わせる。一方、集音した音が一定時間以上継続しておれば、その音はリモコン２００からの信号ではなく雑音であると判断して、表示部１２に周波数の設定変更を知らせるメッセージを表示する。【選択図】    図２
2004336261.tif 000002
【特許請求の範囲】
【請求項１】
ボタン操作部を備えたリモコンと、前記ボタン操作部の操作に基づいてディスクの動作制御を行うディスク装置とから構成されるリモコンシステムにおいて、
前記リモコンは、ボタン操作部の各ボタンに対応して可聴周波数帯域外の特定周波数の擬似音を出力するスピーカを備え、
前記ディスク装置は、前記擬似音の周波数をあらかじめ記憶したメモリと、前記リモコンのスピーカから発生する擬似音を集音するマイクと、このマイクで集音した音の周波数と前記メモリに記憶されている擬似音の周波数とに基づいて所定の処理を行う制御部と、メッセージを表示する表示部とを備え、
前記制御部は、マイクで集音した音の周波数がメモリに記憶されている擬似音の周波数と一致し、当該集音した音が一定レベルを超えておりかつ一定時間以上継続していると判定した場合に、前記表示部に周波数の設定変更を知らせるメッセージを表示することを特徴とするリモコンシステム。
【請求項２】
ボタン操作部を備えたリモコンと、前記ボタン操作部の操作に基づいてディスクの動作制御を行うディスク装置とから構成されるリモコンシステムにおいて、
前記リモコンは、ボタン操作部の各ボタンに対応して特定周波数の擬似音を発生する擬似音発生手段を備え、
前記ディスク装置は、前記擬似音を集音する集音手段を備え、この集音手段で集音した音の周波数があらかじめ設定されている擬似音の周波数と一致し、かつ集音した音が一定時間以上継続していると判定した場合に、擬似音の周波数の設定変更を報知することを特徴とするリモコンシステム。
【請求項３】
請求項２に記載のリモコンシステムにおいて、
前記擬似音発生手段が発生する擬似音は、可聴周波数帯域外の特定周波数の擬似音であることを特徴とするリモコンシステム。
【請求項４】
リモコンのボタン操作部の操作に基づいてディスクの動作制御を行うディスク装置において、
前記ボタン操作部の各ボタンに対応して発生する特定周波数の擬似音を集音する集音手段を備え、
前記集音手段で集音した音の周波数があらかじめ設定されている擬似音の周波数と一致し、かつ集音した音が一定時間以上継続していると判定した場合に、擬似音の周波数の設定変更を報知することを特徴とするディスク装置。
【発明の詳細な説明】
【０００１】
【発明の属する技術分野】
本発明は、リモコンと、このリモコンの操作に基づいてディスクの動作制御を行うディスク装置とから構成されるリモコンシステムに関するものである。
【０００２】
【従来の技術】
ＤＶＤレコーダのようなディスク装置においては、一般にリモコンの操作に基づいてディスクの動作制御が行われる。リモコンにはボタン操作部が設けられており、このボタン操作部のボタンを操作することにより、各ボタンに対応した信号が生成されてディスク装置へ送信される。ディスク装置では、リモコンからの信号を受信し、受信した信号を解読してディスクに対する再生記録等の動作を行う。リモコンシステムに関する先行技術としては、例えば下記の特許文献１、２がある。
【０００３】
【特許文献１】
実開昭６４−３７１９２号公報
【特許文献２】
特開平１０−２２３１０３号公報
【０００４】
【発明が解決しようとする課題】
ところで、上記のようなリモコンシステムにおいて、従来は、リモコンからディスク装置へ送信する信号としては赤外線が用いられている。しかしながら、赤外線には指向性があるため、ディスク装置が赤外線の指向角の範囲外にあるとリモコンからの信号を受信できず、正常な動作が行われない。また、赤外線は物によって遮蔽されるため、リモコンとディスク装置との間に人間や物体が存在した場合にも、ディスク装置はリモコンからの信号を受信できなくなる。
【０００５】
なお、上記特許文献１には、どこかに置き忘れたリモコンを容易に捜索できるリモコンシステムが開示されており、特許文献２には、拍手音や目覚まし時計音に連動して電気機器を制御するシステムにおいて、日常生活の様々な音の中から特定の音のみを検出する技術について開示されているが、上述したような赤外線信号に基因する問題点や、それを解決する方策については記載されていない。
【０００６】
本発明は、上記課題を解決するものであって、その目的とするところは、指向角や遮蔽物体に影響されずにリモコン信号をディスク装置へ送信できるリモコンシステムを提供することにある。また、本発明の他の目的は、周囲に信号周波数と同一の周波数の音が存在した場合は、信号周波数を他の周波数へ切り替えられるようにしたリモコンシステムを提供することにある。
【０００７】
【課題を解決するための手段】
本発明に係るリモコンシステムでは、ボタン操作部を備えたリモコンと、ボタン操作部の操作に基づいてディスクの動作制御を行うディスク装置とから構成されるリモコンシステムにおいて、リモコンには、ボタン操作部の各ボタンに対応して特定周波数の擬似音を発生する擬似音発生手段を設け、ディスク装置には、上記擬似音を集音する集音手段を設ける。そして、ディスク装置は、集音手段で集音した音の周波数があらかじめ設定されている擬似音の周波数と一致し、かつ集音した音が一定時間以上継続していると判定した場合に、擬似音の周波数の設定変更を報知する。
【０００８】
このように、従来の赤外線に代えて、特定周波数の擬似音をリモコン信号として用いることで、指向角や遮蔽物体に影響されずにリモコン信号をディスク装置へ送信することができるとともに、擬似音の周波数と同一の周波数の音が周囲に存在している場合は、擬似音の周波数の設定変更が報知されるので、利用者はこれに基づいて擬似音の周波数を他の周波数へ切り替えることができ、これによってディスク装置の誤動作が回避される。また、集音した音が一定時間以上継続している場合にかぎり、リモコンの擬似音ではなく周囲の雑音と判断するので、擬似音とそれ以外の音とを確実に区別することができる。
【０００９】
本発明においては、擬似音発生手段が発生する擬似音は、可聴周波数帯域外の特定周波数の擬似音であることが好ましい。可聴周波数帯域は２０Ｈｚ〜２０ＫＨｚであり、この帯域外の周波数の音は人間の耳には聞こえないので、リモコンの操作のたびに耳障りな音が発生するのを回避することができる。
【００１０】
また、本発明においては、擬似音の周波数と同一の周波数の音が周囲に存在している場合に、集音した音が一定レベルを超えておりかつ一定時間以上継続していることを条件として、前記表示部に周波数の設定変更を知らせるようにしてもよい。このように、音のレベルも判定要素とすることで、擬似音以外の音であってもレベルが低い音は無視することが可能となる。
【００１１】
【発明の実施の形態】
図１は、本発明に係るリモコンシステムを構成するディスク装置とリモコンの概略図である。（ａ）はディスク装置の一例であるＤＶＤレコーダ１００を示しており、１０はディスクを出し入れするためのトレイ、１２は各種の情報が表示される表示部である。（ｂ）はリモコン２００を示しており、２２はボタン操作部である。
【００１２】
図２は、ＤＶＤレコーダ１００とリモコン２００の電気的構成を示したブロック図である。なお、ここでは本発明に関係するブロックだけを図示してある。リモコン２００において、２１はリモコン全体の動作を制御する制御部、２２は図１（ｂ）に示したボタン操作部、２３はデータを記憶するメモリ、２４はリモコン信号（擬似音）の周波数を切り替える周波数切替部、２５は制御部２１からの信号に基づいて擬似音のデータを生成するデジタル信号処理部、２６はデジタル信号処理部２５から出力される擬似音のデジタル信号をアナログ信号に変換するＤ／Ａ変換器、２７はＤ／Ａ変換器２６で変換されたアナログ信号のレベルを調整するレベル調整部、２８はレベル調整部２７からのアナログ信号に基づいて擬似音を出力するスピーカである。以上において、デジタル信号処理部２５、Ｄ／Ａ変換器２６、レベル調整部２７、およびスピーカ２８は、本発明における擬似音発生手段を構成する。
【００１３】
一方、ＤＶＤレコーダ１００において、１１は装置全体の動作を制御する制御部、１２は図１（ａ）に示した表示部、１３はデータを記憶するメモリ、１４はリモコン２００のスピーカ２８から出力される擬似音を集音するマイク、１５はマイク１４が集音した音をアナログ信号からデジタル信号に変換するＡ／Ｄ変換器、１６はＡ／Ｄ変換器１５から出力されるデジタル信号を処理するデジタル信号処理部、１７はマイク１４で集音した音の周波数とメモリ１３に記憶されている擬似音の周波数とを比較する周波数比較部である。このＤＶＤレコーダ１００は、録画と再生の機能を備えている。以上において、マイク１４は本発明における集音手段を構成する。
【００１４】
次に、動作について説明する。リモコン２００のボタン操作部２２の各ボタンには、それぞれに対応して擬似音の周波数が割り当てられている。メモリ２３には、この擬似音の周波数が各ボタンに対応して記憶されている。今、ボタン操作部２２のあるボタンを操作すると、制御部２１はそのボタンに対応する周波数をメモリ２３から読み出し、デジタル信号処理部２５へ出力する。デジタル信号処理部２５では、与えられた周波数に基づいて擬似音のデジタル信号を生成しこれを出力する。出力されたデジタル信号はＤ／Ａ変換器２６でアナログ信号に変換された後、レベル調整部２７で信号のレベルが調整され、スピーカ２８からは操作されたボタンに対応する擬似音が出力される。この擬似音の周波数は、可聴周波数帯域外の特定周波数であるので、人間の耳には聞こえない。
【００１５】
スピーカ２８から出力された擬似音は、マイク１４で集音される。マイク１４から出力されるアナログ信号はＡ／Ｄ変換器１５でデジタル信号に変換された後、デジタル信号処理部１６に与えられる。デジタル信号処理部１６では、入力されたデジタル信号を処理して、マイク１４が集音した擬似音の周波数を算出し、その結果を制御部１１に与える。周波数比較部１７は、制御部１１が受け取った周波数と、メモリ１３にあらかじめ記憶されている擬似音の周波数とを比較する。これらの両周波数が一致する場合、制御部１１では、マイク１４で集音した音が一定レベルを超えているか否か、および一定時間以上継続しているか否かを判定する。
【００１６】
ここで、リモコン２００の操作に基づいて発生した擬似音の場合は、レベルは一定以上であるが、ボタンを押した間しか擬似音が発生しないので、継続時間は極めて短い。これに対して、例えば近隣の工場の設備等から発生する雑音信号が一定レベルを超えていて、その周波数がたまたまリモコン２００の擬似音と一致するような場合、雑音信号は一般にある程度の時間継続するので、リモコン２００の擬似音と区別することができる。
【００１７】
そこで、制御部１１は、マイク１４で集音した音の周波数がメモリ１３に記憶されている擬似音の周波数と一致し、この集音した音が一定レベルを超えているが、一定時間以上継続しなかったと判定した場合は、その音はリモコン２００からの信号であると判断して、操作されたボタンに対応する動作（例えば再生動作）を行わせる。一方、マイク１４で集音した音が一定レベルを超えていて、かつ、一定時間以上継続していると判定した場合は、その音はリモコン２００からの信号ではなく雑音であると判断して、表示部１２に例えば図３のような周波数の設定変更を知らせるメッセージを表示させる。このメッセージは、ＤＶＤレコーダ１００に接続されるテレビモニタ（図示省略）に表示させてもよい。
【００１８】
利用者は、上記メッセージを見て周囲に同じ周波数の音源が存在することを知り、ボタン操作部２２のボタンに割り当てられた周波数の設定変更を行う。図４は、ボタン操作部２２における各ボタンの周波数割り当てを説明する図である。図のようにボタンの横配列方向には、モード１での周波数Ａ〜Ｃと、モード２での周波数Ｄ〜Ｆが割り当てられており、ボタンの縦配列方向には、モード１での周波数Ｇ〜Ｋと、モード２での周波数Ｌ〜Ｐが割り当てられている。その結果、例えばモード１においてボタン２２ａを押すと、周波数Ｂと周波数Ｋとに基づいて擬似音が生成され、モード２においてボタン２２ａを押すと、周波数Ｅと周波数Ｐとに基づいて擬似音が生成される。したがって、モード１において上述したような周囲の雑音との周波数一致が発生した場合は、モード２に切り替えることによって、周波数の設定変更を行うことができる。
【００１９】
このモードの切り替えは、リモコン２００に設けられている周波数切替部２４を操作することにより行うが、テレビモニタのメニュー画面上でボタン操作部２２の操作により行うことも可能である。周波数を切り替えると、切り替えた周波数の擬似音が設定変更のコマンドとともに、スピーカ２８からマイク１４を介してＤＶＤレコーダ１００に与えられ、ＤＶＤレコーダ１００ではメモリ１３に設定されている擬似音の周波数を更新する。こうして、メモリ１３における周波数の設定変更を行うことにより、リモコン２００を操作していないにもかかわらずＤＶＤレコーダ１００が周囲の雑音により誤動作するという不具合を回避することができる。
【００２０】
なお、図４の例では、周波数の切り替えをモード１とモード２の２種類としたが、例えば、縦配列方向の周波数Ｇ〜Ｋをモード３、周波数Ｌ〜Ｐをモード４とし、モード１に対してモード３またはモード４を選択し、モード２に対してモード３またはモード４を選択することで、合計４種類の周波数切り替えができるようしてもよい。また、モードを切り替える代わりに、各ボタンごとに固有の周波数を割り当て、ボタン単位で周波数の切り替えを行うようにしてもよい。
【００２１】
以上のようにして、上記実施形態においては、従来の赤外線に代えて、特定周波数の擬似音をリモコン信号として用いることで、指向角や遮蔽物体に影響されずにリモコン信号をＤＶＤレコーダ１００へ送信することができるとともに、擬似音の周波数と同一の周波数の音が周囲に存在している場合は、表示部１２に周波数の設定変更のメッセージが表示されるので、利用者はこれに基づいて擬似音の周波数を他の周波数へ切り替えることができ、これによってＤＶＤレコーダ１００の誤動作を回避することができる。また、集音した音が一定時間以上継続している場合にかぎり、リモコン２００の擬似音ではなく周囲の雑音と判断するので、擬似音とそれ以外の音とを確実に区別することができる。
【００２２】
また、擬似音は可聴周波数帯域外の特定周波数の擬似音であるため、人間の耳には聞こえず、リモコン２００の操作のたびに耳障りな音が発生するのを回避することができる。さらに、マイク１４で集音した音の継続時間に加えて、音のレベルも判定要素としているため、擬似音以外の音であってもレベルが低い音は無視することが可能となる。
【００２３】
図５は、ＤＶＤレコーダ１００の動作を表したフローチャートである。ステップＳ１では、マイク１４が音を検知したか否かを監視している。マイク１４が音を検知すると、次に、検知した音がメモリ１３に設定されている擬似音の周波数と一致するか否かを判定する（ステップＳ２）。擬似音の周波数と一致する場合は、次に、音のレベルが一定レベル以上か否かを判定する（ステップＳ３）。その結果、一定レベル以上であれば、さらに、その音が一定時間以上継続したか否かを判定する（ステップＳ４）。そして、一定時間以上継続しておれば、表示部１２（またはテレビモニタ）に、図３に示したような周波数の設定変更を知らせるメッセージを表示する（ステップＳ５）。その後、周波数の設定変更の操作が完了するのを待ち（ステップＳ６）、設定変更が完了すれば、メモリ１３の周波数設定を更新する（ステップＳ７）。
【００２４】
上述した実施形態においては、周波数の設定変更を表示部１２やテレビモニタにメッセージで表示するようにしたが、表示に代えて、または表示に加えて、音声により周波数の設定変更を報知するようにしてもよい。
【００２５】
また、上記実施形態では、ディスク装置として録画と再生機能を有するＤＶＤレコーダを例に挙げたが、ディスク装置は再生機能のみを備えたＤＶＤプレーヤであってもよく、またこれら以外にＣＤプレーヤなどであってもよい。
【００２６】
【発明の効果】
本発明によれば、赤外線に代えて特定周波数の擬似音をリモコン信号として用いたので、指向角や遮蔽物体に影響されずにリモコン信号をディスク装置へ送信することができる。また、擬似音の周波数と同一の周波数の音が周囲に存在する場合に、擬似音の周波数の設定変更を報知するようにしたので、擬似音の周波数を他の周波数へ切り替えて誤動作を回避することができる。
【図面の簡単な説明】
【図１】本発明に係るリモコンシステムを構成するディスク装置とリモコンの概略図である。
【図２】ＤＶＤレコーダとリモコンの電気的構成を示したブロック図である。
【図３】周波数の設定変更を知らせるメッセージの表示例である。
【図４】ボタン操作部における各ボタンの周波数割り当てを説明する図である。
【図５】ＤＶＤレコーダの動作を表したフローチャートである。
【符号の説明】
１１  制御部
１２  表示部
１３  メモリ
１４  マイク
１５  Ａ／Ｄ変換器
１６  デジタル信号処理部
１７  周波数比較部
２１  制御部
２２  ボタン操作部
２３  メモリ
２４  周波数切替部
２５  デジタル信号処理部
２６  Ｄ／Ａ変換器
２７  レベル調整部
２８  スピーカ
１００  ＤＶＤレコーダ
２００  リモコン
【図１】
2004336261.tif 000003
【図２】
2004336261.tif 000004
【図３】
2004336261.tif 000005
【図４】
2004336261.tif 000006
【図５】
2004336261.tif 000007